(57)【特許請求の範囲】
【請求項１】
内枠に固定されるとともに遊技盤及び発射レールが取り付けられた機構盤と、前記機構盤に対し回動可能に支持されたメインセット盤と、前記メインセット盤に設けられた賞球排出口と、を有し、前記機構盤に対し前記メインセット盤を閉じた際には、前記機構盤の下側裏面部が前記メインセット盤の平面部と接面するパチンコ機において、
前記機構盤の下側裏面部に形成された細長状の穿孔部と、
前記メインセット盤の平面部に形成された細長状の突出片と、を備え、
前記機構盤に対し前記メインセット盤を閉じた際には、前記突出片が前記穿孔部に挿し入れられて該機構盤に対する該メインセット盤の位置決めがなされる一方、前記機構盤に対し前記メインセット盤を開けた際には、前記突出片が前記穿孔部から抜き外れるパチンコ機であって、
前記穿孔部は、前記メインセット盤の回動軸線側端縁部が幅広で且つ対向する他方側端縁部が幅狭となる左右方向に長い細長くさび形状をなすとともに、
前記突出片は、前記穿孔部の幅広部分の幅寸法よりも薄い厚さで左右方向に長い細長平板形状をなしており、
前記機構盤に対し前記メインセット盤を閉じる際には、前記突出片が前記穿孔部に対して、該穿孔部の幅狭部分よりも先に幅広部分側へと差し入れられることを特徴とするパチンコ機。
【発明の詳細な説明】
【０００１】
【発明の属する技術分野】
本発明は、機構盤に対し回動可能なメインセット盤を有したパチンコ機に関する。
【０００２】
【従来の技術】
従来、パチンコ機の賞球は上皿に払い出され、上皿がパチンコ球で満タンの場合に限って、下皿に払い出される。例えば、図５のパチンコ機１００では、遊技盤１０３上の入賞口のいずれかにパチンコ球が入ると、内枠１０１に固定された上皿１０４へ所定数の賞球が払い出される。そして、上皿１０４がパチンコ球で満タンになり、上皿１０４に賞球を払い出すことが不可能になると、払い出すことが不可能になった分の賞球が、内枠１０１に固定された下皿１０２へ払い出される。
【０００３】
ここで、この賞球を払い出す仕組みを、図６のパチンコ機１００の背面図を用いて説明する。先ず、上皿１０４（図５参照）又は下皿１０２（図５参照）に払い出される賞球は、賞球タンク１２２に貯留されている。そして、賞球タンク１２２に貯留された賞球は、賞球払出装置１２３によって、所定数の通過が許され、上皿１０４（図５参照）へと流れていく。これにより、賞球は上皿１０４（図５参照）へ払い出されることになる。
【０００４】
但し、このとき、上皿１０４（図５参照）への通路の入口がパチンコ球で塞がっている場合には、賞球は賞球排出口１２５へと流れていく。そして、賞球排出口１２５は、内枠１０１の裏側に固定された下皿ボックス１２７に連通していることから、賞球排出口１２５へと流れた賞球は、下皿ボックス１２７に落下する。さらに、下皿ボックス１２７は、下皿１０２（図５参照）と連通していることから、下皿ボックス１２７に落下した賞球は、下皿１０２（図５参照）へと流れていく。これにより、上皿１０４（図５参照）に払い出すことが不可能になった分の賞球は、下皿１０２（図５参照）へ払い出されることになる。
【０００５】
このような賞球を払い出す仕組みは、図７に示すメインセット盤１２０に備えられている。このメインセット盤１２０は、回動軸を設けたヒンジ１２１を介して、図６に示すように、内枠１０１の裏側に固定された機構盤１１０に対し回動可能に支持されている。
【０００６】
尚、機構盤１１０については、図８に示すように、遊技盤１０３（図５参照）が取り付けられる開口１１２の周囲に複数の取付穴１１１が設けられており、これらの取付穴１１１を介して、内枠１０１の裏側に固定される。また、側面の一方には、回動孔を備えたヒンジ１１５が設けられており、図９に示すように、機構盤１１０のヒンジ１１５の回動孔へ、メインセット盤１２０のヒンジ１２１の回動軸を挿入することにより、機構盤１１０に対しメインセット盤１２０が回動可能に支持される。
【０００７】
もっとも、メインセット盤１２０が機構盤１１０に対し回動可能に支持される場合、メインセット盤１２０を機構盤１１０に対して閉じた際に、メインセット盤１２０と機構盤１１０の相対的な位置関係を正確に確保する手段が必要となる。なぜなら、メインセット盤１２０の賞球タンク１２２（図６、図７参照）には多数のパチンコ球が貯留されており、メインセット盤１２０には大きな回転モーメントが常に作用しているからである。
【０００８】
そこで、図７に示すように、メインセット盤１２０においては、賞球タンク１２２の裏側に２個の突起物１２５を形成し、また、図８に示すように、機構盤１１０においては、２個の貫通孔１１４を形成しており、メインセット盤１２０を機構盤１１０に対して閉じた際に、メインセット盤１２０の突起物１２５が、機構盤１１０の貫通孔１１４に嵌入することで、メインセット盤１２０と機構盤１１０の相対的な位置関係を正確に確保している。
【０００９】
これにより、例えば、機構盤１１０の下側裏面部１１６（図８、図９参照）がメインセット盤１２０の平面部１２６（図９参照）と接面して、機構盤１１０の開口部１１３（図８、図９参照）がメインセット盤１２０の開口部１２４（図９参照）と正確に連通し、その連通部分に段差などが生じることを防いでいるので、ダイヤル１０５（図５参照）で発射し損ねたパチンコ球が、機構盤１１０の開口部１１３（図８、図９参照）とメインセット盤１２０の開口部１２４（図９参照）を介して、下皿１０２（図５参照）に戻ることを、支障なく行わせることができる。
【００１０】
【発明が解決しようとする課題】
しかしながら、図７に示すように、メインセット盤１２０の突起物１２５は、メインセット盤１２０と機構盤１１０の位置決めのし易さなどを考慮して、その形状を円柱状にしているので、その断面積は十分に大きくなく、また、メインセット盤１２０の回転モーメントが集中荷重として作用することになるので、その強度が十分に確保されていないおそれがあった。
【００１１】
さらに、メインセット盤１２０の突起物１２５は、メインセット盤１２０と機構盤１１０の位置決めの正確さなどを考慮して、ヒンジ１２１の回動軸から離れた位置に形成されているので、メインセット盤１２０に大きな回転モーメントが作用しなくとも、メインセット盤１２０と機構盤１１０の間の取付誤差が大きいと、メインセット盤１２０を機構盤１１０に対して閉じた際に、メインセット盤１２０の突起物１２５を、機構盤１１０の貫通孔１１４に圧入することがあり、メインセット盤１２０の突起物１２５の強度不足を助長する状態になることがあった。
【００１２】
また、近年では、メインセット盤１２０だけでなく、機構盤１１０も樹脂成形されることが多い。従って、機構盤１１０も樹脂成形された場合にも、機構盤１１０とメインセット盤１２０の互いの樹脂成形による寸法誤差などから、メインセット盤１２０を機構盤１１０に対して閉じた際に、メインセット盤１２０の突起物１２５を、機構盤１１０の貫通孔１１４に圧入することがあり、メインセット盤１２０の突起物１２５の強度不足を助長することがあった。
【００１３】
そこで、本発明は、上述した問題点を解決するためになされたものであり、メインセット盤と機構盤の位置決め機構の強度不足に対する懸念を解消したパチンコ機を提供することを目的とする。
【００１４】
【課題を解決するための手段】
この目的を達成するために成された請求項１に係るパチンコ機は、内枠に固定されるとともに遊技盤及び発射レールが取り付けられた機構盤と、前記機構盤に対し回動可能に支持されたメインセット盤と、前記メインセット盤に設けられた賞球排出口と、を有し、前記機構盤に対し前記メインセット盤を閉じた際には、前記機構盤の下側裏面部が前記メインセット盤の平面部と接面するパチンコ機において、前記機構盤の下側裏面部に形成された細長状の穿孔部と、前記メインセット盤の平面部に形成された細長状の突出片と、を備え、前記機構盤に対し前記メインセット盤を閉じた際には、前記突出片が前記穿孔部に挿し入れられて該機構盤に対する該メインセット盤の位置決めがなされる一方、前記機構盤に対し前記メインセット盤を開けた際には、前記突出片が前記穿孔部から抜き外れるパチンコ機であって、前記穿孔部は、前記メインセット盤の回動軸線側端縁部が幅広で且つ対向する他方側端縁部が幅狭となる左右方向に長い細長くさび形状をなすとともに、前記突出片は、前記穿孔部の幅広部分の幅寸法よりも薄い厚さで左右方向に長い細長平板形状をなしており、前記機構盤に対し前記メインセット盤を閉じる際には、前記突出片が前記穿孔部に対して、該穿孔部の幅狭部分よりも先に幅広部分側へと差し入れられることを特徴とする。
【００１５】
【００１６】
【００１７】
このような構成を有する本発明のパチンコ機では、メインセット盤と機構盤とを有している。機構盤は、遊技盤を取り付けるために、枠状の形状をしているが、機構盤の下側裏面部は、遊技盤が取り付けられる位置の下側、かつ、発射レールが取り付けられる位置の裏側に存在することから、平らな部分が広く確保されている。従って、機構盤の下側裏面部に穿孔部をメインセット盤の回動軸線側端縁部が幅広で且つ対向する他方側端縁部が幅狭となる左右方向に長い細長くさび形状に形成することができる。
【００１８】
一方、機構盤の下側裏面部と接面するメインセット盤の平面部も、遊技盤の下側に位置することから、広く確保することができる。従って、メインセット盤の平面部に突出片を穿孔部の幅広部分の幅寸法よりも薄い厚さで左右方向に長い細長平板形状に形成することができる。この点、メインセット盤の突出片は細長平板形状であるため、従来技術のメインセット盤の突起物と比べ、断面積を大きくできるとともに、メインセット盤の回転モーメントを分散させることもできる。
【００１９】
従って、機構盤に対しメインセット盤を閉じた際に、メインセット盤の突出片が機構盤の穿孔部に挿し入れられることにより、機構盤に対するメインセット盤の位置決めがなされても、従来技術のメインセット盤の突起物と比べ、メインセット盤の突出片に生じる剪断力は小さく、また、メインセット盤の回転モーメントは、従来技術のメインセット盤の突起物のように、集中荷重として作用するのではなく、分布荷重として作用する。尚、機構盤に対しメインセット盤を開けた際には、メインセット盤の突出片が機構盤の穿孔部から抜き外れる。
【００２０】
すなわち、本発明のパチンコ機では、メインセット盤の平面部に形成された細長平板形状の突出片が、機構盤の下側裏面部に形成された細長くさび形状の穿孔部に対して、挿し入れられたり抜き外れたりすることによって、メインセット盤と機構盤の位置決め機構を構成しており、また、メインセット盤の突出片が細長平板形状であることによって、従来技術のメインセット盤の突起物と比べて、メインセット盤の突出片の断面積を大きくでき、さらに、メインセット盤の回転モーメントを、メインセット盤の突出片に対して、分布荷重のように作用させることができるので、従来技術と比べて、メインセット盤と機構盤の位置決め機構の強度を増加させることが可能となり、メインセット盤と機構盤の位置決め機構の強度不足に対する懸念を解消させることができる。
【００２１】
また、機構盤とメインセット盤とが樹脂成形された場合には、機構盤とメインセット盤の互いの樹脂成形による寸法誤差などから、機構盤に対しメインセット盤を閉じた際において、メインセット盤の突出片が機構盤の穿孔部と圧接する状態となり、メインセット盤と機構盤の位置決め機構の強度不足を助長することもあるので、上述した効果はより大きなものとなる。
【００２２】
また、突出片を細長平板形状に形成するためには、メインセット盤の平面部を所定の広さで確保する必要があるので、メインセット盤を設計する上で大きな制約となるが、メインセット盤の賞球排出口の上方のスペースは、賞球の通路のために必ず確保する必要があり、メインセット盤の設計上の前提事項となっていることから、メインセット盤の賞球排出口の上方で、賞球の通路のためのスペースと重ねて、細長平板形状の突出片を形成するためのメインセット盤の平面部を確保するようにすれば、突出片を細長平板形状に形成するための制約がメインセット盤の設計上の前提事項とスペース的に重なり合うので、メインセット盤を設計する上での制約を最小限に抑えることができる。
【００２３】
【発明の実施の形態】
以下、本発明の実施の形態を図面を参照にして説明する。本発明の実施の形態は、従来技術の欄で述べたパチンコ機１００（図５、図６参照）を改良したものである。従って、ここでは、従来技術のパチンコ機１００との共通点については、従来技術の欄で既に述べているので、省略することにし、従来技術のパチンコ機１００との相違点について詳細に説明する。
【００２４】
本発明の実施の形態では、機構盤１１０とメインセット盤１２０に対し、改良を加えている。機構盤１１０については、図８に示すように、遊技盤１０３（図５参照）を取り付けるために、開口１１２を有した枠状の形状をしているが、機構盤１１０の下側裏面部１１６は、遊技盤１０３（図５参照）が取り付けられる位置の下側、かつ、発射レール（図示しない）が取り付けられる位置の裏側に存在することから、平らな部分が広く確保されている。従って、本発明の実施の形態では、図１や図２に示すように、機構盤１１０の下側裏面部１１６に穿孔部２０を形成するものの、機構盤１１０の下側裏面部１１６が広く確保されていることから、その穿孔部２０を細長状に形成することが許される。
【００２５】
一方、図９に示すように、機構盤１１０の下側裏面部１１６と接面するメインセット盤１２０の平面部１２６も、遊技盤１０３（図５参照）の下側に位置することから、広く確保することができる。従って、本発明の実施の形態では、図１に示すように、メインセット盤１２０の平面部１２６に突出片１０を形成するものの、メインセット盤１２０の平面部１２６も広く確保されていることから、その突出片１０を細長状に形成することが許される。そして、メインセット盤１２０の突出片１０は細長状であるため、従来技術のメインセット盤１２０の突起物１２５（図７参照）と比べ、断面積を大きくできるとともに、メインセット盤１２０の回転モーメントを分散させることもできる。
【００２６】
また、機構盤１１０に対しメインセット盤１２０を閉じた際には、図３に示すように、メインセット盤１２０が回動軸線１３０を中心に回動する。このときは、図３の上方向へ移行し、メインセット盤１２０の突出片１０が機構盤１１０の穿孔部２０に挿し入れられる。これにより、機構盤１１０に対するメインセット盤１２０の位置決めがなされるが、従来技術のメインセット盤１２０の突起物１２５と比べ（図７参照）、断面積が大きいことからメインセット盤１２０の突出片１０に生じる剪断力は小さく、また、メインセット盤１２０の回転モーメントは、従来技術のメインセット盤１２０の突起物１２５（図７参照）のように、集中荷重として作用するのではなく、分布荷重として作用する。尚、図４は、このときの、機構盤１１０とメインセット盤１２０の位置関係を断面で示したものである。
【００２７】
一方、機構盤１１０に対しメインセット盤１２０を開けた際には、メインセット盤１２０が回動軸線１３０を中心に回動して、図３の下方向へ移行し、メインセット盤１２０の突出片１０が機構盤１１０の穿孔部２０から抜き外れる。
【００２８】
すなわち、本発明の実施の形態では、メインセット盤１２０の平面部１２６に形成された細長状の突出片１０が、機構盤１１０の下側裏面部１１６に形成された細長状の穿孔部２０に対して、挿し入れられたり抜き外れたりすることによって、メインセット盤１２０と機構盤１１０の位置決め機構を構成しており（図３参照）、また、メインセット盤１２０の突出片１０が細長状であることにより、従来技術のメインセット盤１２０の突起物１２５（図７参照）と比べて、メインセット盤１２０の突出片１０の断面積を大きくでき、さらに、メインセット盤１２０の回転モーメントを、メインセット盤１２０の突出片１０に対して、分布荷重のように作用させることができるので、従来技術と比べて、メインセット盤１２０と機構盤１１０の位置決め機構の強度を増加させることが可能となり、メインセット盤１２０と機構盤１１０の位置決め機構の強度不足に対する懸念を解消させることができる。
【００２９】
また、機構盤１１０とメインセット盤１２０とが樹脂成形された場合には、機構盤１１０とメインセット盤１２０の互いの樹脂成形による寸法誤差などから、機構盤１１０に対しメインセット盤１２０を閉じた際において、メインセット盤１２０の突出片１０が機構盤１１０の穿孔部２０と圧接する状態となり、メインセット盤１２０と機構盤１１０の位置決め機構の強度不足を助長することもあるので、上述した効果はより大きなものとなる。
【００３０】
また、突出片１０を細長状に形成するためには、メインセット盤１２０の平面部１２６を所定の広さで確保する必要があるので、メインセット盤１２０を設計する上で大きな制約となる。しかし、メインセット盤１２０の賞球排出口１２５の上方のスペースは、賞球の通路のために必ず確保する必要があり、メインセット盤１２０の設計上の前提事項となっている。そこで、本発明の実施の形態では、図１に示すように、メインセット盤１２０の賞球排出口１２５の上方で、賞球の通路のためのスペースと重ねて、細長状の突出片１０を形成するためのメインセット盤１２０の平面部１２６を確保しており、突出片１０を細長状に形成するための制約をメインセット盤１２０の設計上の前提事項とスペース的に重ね合わせているので、メインセット盤１２０を設計する上での制約は最小限となっている。
【００３１】
尚、本発明は上記実施の形態に限定されるものでなく、その趣旨を逸脱しない範囲で様々な変更が可能である。
例えば、本発明の実施の形態では、細長状の穿孔部２０を機構盤１１０の下側裏面部１１６に形成するとともに、細長状の突出片１０をメインセット盤１２０の平面部１２６に形成していたが、これとは逆に、細長状の穿孔部２０をメインセット盤１２０の平面部１２６に形成するとともに、細長状の突出片１０を機構盤１１０の下側裏面部１１６に形成しても、上述した効果を得ることは可能である。
【００３２】
【発明の効果】
本発明のパチンコ機では、メインセット盤の平面部に形成された細長平板形状の突出片が、機構盤の下側裏面部に形成された細長くさび形状の穿孔部に対して、挿し入れられたり抜き外れたりすることによって、メインセット盤と機構盤の位置決め機構を構成しており、また、メインセット盤の突出片が細長平板形状であることによって、従来技術のメインセット盤の突起物と比べて、メインセット盤の突出片の断面積を大きくでき、さらに、メインセット盤の回転モーメントを、メインセット盤の突出片に対して、分布荷重のように作用させることができるので、従来技術と比べて、メインセット盤と機構盤の位置決め機構の強度を増加させることが可能となり、メインセット盤と機構盤の位置決め機構の強度不足に対する懸念を解消させることができる。
【００３３】
また、機構盤とメインセット盤とが樹脂成形された場合には、機構盤とメインセット盤の互いの樹脂成形による寸法誤差などから、機構盤に対しメインセット盤を閉じた際において、メインセット盤の突出片が機構盤の穿孔部と圧接する状態となり、メインセット盤と機構盤の位置決め機構の強度不足を助長することもあるので、上述した効果はより大きなものとなる。
【００３４】
また、突出片を細長平板形状に形成するためには、メインセット盤の平面部を所定の広さで確保する必要があるので、メインセット盤を設計する上で大きな制約となるが、メインセット盤の賞球排出口の上方のスペースは、賞球の通路のために必ず確保する必要があり、メインセット盤の設計上の前提事項となっていることから、メインセット盤の賞球排出口の上方で、賞球の通路のためのスペースと重ねて、細長平板形状の突出片を形成するためのメインセット盤の平面部を確保するようにすれば、突出片を細長平板形状に形成するための制約がメインセット盤の設計上の前提事項とスペース的に重なり合うので、メインセット盤を設計する上での制約を最小限に抑えることができる。
【図面の簡単な説明】
【図１】  本発明の実施の形態のパチンコ機において、メインセット盤を機構盤に対し回動可能に支持する状態を示した分解斜視図である。
【図２】  本発明の実施の形態のパチンコ機の機構盤の斜視図である。
【図３】  本発明の実施の形態のパチンコ機において、メインセット盤が機構盤に対し回動した際の、機構盤の穿孔部とメインセット盤の突出片の位置関係を示した図である。
【図４】  本発明の実施の形態のパチンコ機において、機構盤に対しメインセット盤を閉じた際の、機構盤とメインセット盤の位置関係を断面で示した図である。
【図５】  従来技術のパチンコ機の正面図である。
【図６】  従来技術のパチンコ機の背面図である。
【図７】  従来技術のパチンコ機の機構盤の斜視図である。
【図８】  従来技術のパチンコ機のメインセット盤の斜視図である。
【図９】  従来技術のパチンコ機において、メインセット盤を機構盤に対し回動可能に支持する状態を示した分解斜視図である。
【符号の説明】
１０  突出片
２０  穿孔部
１００  パチンコ機
１０１  内枠
１０３  遊技盤
１１０  機構盤
１１６  機構盤の下側裏面部
１２０  メインセット盤
１２６  メインセット盤の平面部
【図１】
0004224575.tif 000002
【図２】
0004224575.tif 000003
【図３】
0004224575.tif 000004
【図４】
0004224575.tif 000005
【図５】
0004224575.tif 000006
【図６】
0004224575.tif 000007
【図７】
0004224575.tif 000008
【図８】
0004224575.tif 000009
【図９】
0004224575.tif 000010